(57)【要約】【課題】各組の陽極側外部接続凸片及び陰極側外部接続凸片において発生するインダクタンスの低減効果をより高める。【解決手段】ｎ（例えばｎ＝２）個の陽極側外部接続凸片３１０Ａ，３２０Ａ及び２個の陰極側外部接続凸片３１０Ｂ，３２０Ｂからなる２組の外部接続凸片と、各陽極側外部接続凸片の根元部及び各陰極側外部接続凸片の根元部を連結する陽極側連結部３３０Ａ及び陰極側連結部３３０Ｂとを有し、各組に属する陽極側外部接続凸片及び陰極側外部接続凸片は、同じ組に属する陽極側外部接続凸片の陽極側重なり領域と陰極側外部接続凸片の陰極側重なり領域とが重なり合うとともに、隣り合う一方の組に属する陽極側重なり領域と他方の組に属する陰極側重なり領域とが絶縁部材を介して重なりを有して配置され、かつ、陽極側連結部及び陰極側連結部は、絶縁部材を介してほぼ全面に重なりを有して配置されている。【選択図】図１
2015228462.tif 000002
【特許請求の範囲】
【請求項１】
コンデンサー素子を収納するケースと、当該ケースの外部に突出して設けられ、外部モジュールの陽極側端子部及び陰極側端子部に接続するための板状の陽極側外部接続端子部及び板状の陰極側外部接続端子部を有するコンデンサーモジュールであって、
前記陽極側外部接続端子部は、ｎ（ｎは２以上の整数）個の陽極側外部接続凸片と、当該ｎ個の陽極側外部接続凸片の根元部を相互に連結する陽極側連結部とを有し、
前記陰極側外部接続端子部は、ｎ個の陰極側外部接続凸片と、当該ｎ個の陰極側外部接続凸片の根元部を相互に連結する陰極側連結部とを有し、
前記ｎ個の陽極側外部接続凸片及び前記ｎ個の陰極側外部接続凸片は、前記ｎ個の陽極側外部接続凸片と前記ｎ個の陰極側外部接続凸片とがそれぞれ対をなしてｎ組の外部接続凸片が形成され、
各前記陽極側外部接続凸片は、前記外部モジュールの前記陽極側端子部に接続される陽極側外部接続領域と、前記ｎ個の陰極側外部接続凸片のうちの少なくとも１個の陰極側外部接続凸片の一部に重なり合う陽極側重なり領域とを有し、
各前記陰極側外部接続凸片は、前記外部モジュールの前記陰極側端子部に接続される陰極側外部接続領域と、前記ｎ個の陽極側外部接続凸片のうちの少なくとも１個の陽極側外部接続凸片の前記陽極側重なり領域に重なり合う陰極側重なり領域とを有し、
前記ｎ組の各組に属する陽極側外部接続凸片及び陰極側外部接続凸片は、同じ組に属する各前記陽極側重なり領域と各前記陰極側重なり領域とが絶縁部材を介して重なりを有して配置されているとともに、各前記陽極側外部接続凸片及び各前記陰極側外部接続凸片の並び方向において互いに隣り合う一方の組に属する前記陽極側外部接続凸片の前記陽極側重なり領域と他方の組に属する前記陰極側外部接続凸片の前記陰極側重なり領域とが絶縁部材を介して重なりを有して配置され、かつ、前記陽極側連結部及び前記陰極側連結部は、絶縁部材を介してほぼ全面に重なりを有して配置されていることを特徴とするコンデンサーモジュール。
【請求項２】
請求項１に記載のコンデンサーモジュールにおいて、
前記ｎ個の陽極側外部接続凸片のうち、前記隣り合う組に属する前記陰極側外部接続凸片とにおいても重なりを有して配置されている前記陽極側外部接続凸片は、前記同じ組に属する陰極側外部接続凸片とのみに重なりを有して配置されている前記陽極側外部接続凸片よりも並び方向の幅が広く形成されており、
前記ｎ個の陰極側外部接続凸片のうち、前記隣り合う組に属する前記陽極側外部接続凸片とにおいても重なりを有して配置されている前記陰極側外部接続凸片は、前記同じ組に属する陽極側外部接続凸片とのみに重なりを有して配置されている前記陰極側外部接続凸片よりも並び方向の幅が広く形成されていることを特徴とするコンデンサーモジュール。
【請求項３】
請求項１又は２に記載のコンデンサーモジュールにおいて、
前記ｎ個の陽極側外部接続凸片の並び方向において一端側に位置する陽極側外部接続凸片における前記陽極側重なり領域の根元部には前記連結部の延長となる陽極側延長領域が当該陽極側重なり領域から外方に延出形成されており、
前記ｎ個の陰極側外部接続凸片の並び方向において前記一端側とは反対側の他端側に位置する陰極側外部接続凸片における前記陰極側重なり領域の根元部には前記連結部の延長となる陰極側延長領域が当該陰極側重なり領域から外方に延出形成されており、
前記陽極側延長領域と前記一端側に位置する前記陰極側外部接続領域とが絶縁部材を介して重なりを有して配置され、前記陰極側延長領域と前記他端側に位置する陽極側外部接続領域とが絶縁部材を介して重なりを有して配置されていることを特徴とするコンデンサーモジュール。
【請求項４】
請求項１〜３のいずれかに記載のコンデンサーモジュールにおいて、
前記絶縁部材には、当該絶縁部材の内部に前記陽極側外部接続凸片及び前記陰極側外部接続凸片に対して電気的に非接続となっている導電性部材が設けられていることを特徴とするコンデンサーモジュール。
【請求項５】
請求項１〜４のいずれかに記載のコンデンサーモジュールにおいて、
各々の前記陽極側外部接続領域及び各々の前記陰極側外部接続領域は、
各々の前記陽極側外部接続領域の前記外部モジュールの陽極側端子部に接触する接続面と、各々の前記陰極側外部接続領域の前記外部モジュールの陰極側端子部に接触する接続面とがほぼ同一平面上に存在可能とするように、当該陽極側外部接続領域及び前記陰極側外部接続領域のうちの少なくとも一方が、折り曲げ加工されていることを特徴とするコンデンサーモジュール。
【請求項６】
請求項１〜４のいずれかに記載のコンデンサーモジュールにおいて、
各々の前記陽極側外部接続領域及び各々の前記陰極側外部接続領域は、
各々の前記陽極側外部接続領域の前記外部モジュールの陽極側端子部に接触する接続面と、各々の前記陰極側外部接続領域の前記外部モジュールの陰極側端子部に接触する接続面とがほぼ同一平面上に存在可能で、かつ、各々の前記陽極側重なり領域及び各々の前記陰極側重なり領域のうち前記外部モジュールの陽極側端子部又は陰極側端子部に直接的に対面する重なり領域が、前記外部モジュールの陽極側端子部又は陰極側端子部に対して離隔するように当該陽極側外部接続領域及び前記陰極側外部接続領域が折り曲げ加工されていることを特徴とするコンデンサーモジュール。
【請求項７】
請求項１〜６のいずれかに記載のコンデンサーモジュールにおいて、
各々の前記陽極側重なり領域及び各々の前記陰極側重なり領域には、当該陽極側重なり領域と当該陰極側重なり領域との間の沿面距離を長くするための絶縁性の沿面距離延長部材が設けられていることを特徴とするコンデンサーモジュール。
【請求項８】
請求項７に記載のコンデンサーモジュールにおいて、
前記沿面距離延長部材は、各々の前記陽極側重なり領域の側端部及び先端部と、当該陽極側重なり領域の側端部及び先端部から連続した当該陽極側重なり領域の外側表面の少なくとも一部と、各々の前記陰極側重なり領域の側端部及び先端部と、当該陰極側重なり領域の側端部及び先端部から連続した当該陰極側重なり領域の外側表面の少なくとも一部とを覆うとともに、当該陽極側重なり領域と陰極側重なり領域との間に介在されるように設けられていることを特徴とするコンデンサーモジュール。
【請求項９】
請求項８に記載のコンデンサーモジュールにおいて、
前記沿面距離延長部材は、合成樹脂材によってキャップ状に形成されていることを特徴とするコンデンサーモジュール。
【請求項１０】
請求項８に記載のコンデンサーモジュールにおいて、
前記沿面距離延長部材は、折り曲げ自在の絶縁部材で形成されていることを特徴とするコンデンサーモジュール。
【発明の詳細な説明】
【技術分野】
【０００１】
本発明は、コンデンサー素子を収納するケースの外部に外部接続端子部が設けられているコンデンサーモジュールに関する。
【背景技術】
【０００２】
大電力用回路に用いられる平滑用のコンデンサー素子として、例えば、フィルムコンデンサー素子が広く用いられている。フィルムコンデンサー素子は、個々のフルムコンデンサー素子の容量が電解コンデンサー素子などに比べて比較的小さいため、大容量が必要となった場合には、複数個のフィルムコンデンサー素子を並列接続して必要な容量を得ることが一般的に行われている。
【０００３】
また、大電力に適用可能とするために、複数個のフィルムコンデンサー素子を並列接続する際には、バスバーと呼ばれる２枚の電極板を用いて、一方の電極板（陽極側電極板とする。）によって複数のコンデンサー素子の各陽極を接続し、他方の電極板（陰極側電極板とする。）によって複数のコンデンサー素子の各陰極を接続する。
【０００４】
そして、複数個のフィルムコンデンサー素子、陽極側電極板及び陰極側電極板は、合成樹脂などからなるケース内に収納され、当該ケース内には樹脂が充填されている。また、ケースの外部には、コンデンサー素子を外部モジュールに電気的に接続するための外部接続端子（陽極側外部接続端子部と陰極側外部接続端子部とからなる。）が突出している。陽極側外部接続端子部は陽極側電極板に一体形成されており、陰極側外部接続端子部は陰極側電極板に一体形成されている。
【０００５】
なお、本明細書においては、複数個のフィルムコンデンサー素子、陽極側電極板及び陰極側電極板、ケース、ケース内に充填されている樹脂、ケースの外部に突出している陽極側外部接続端子部及び陰極側外部接続端子部を含めて「コンデンサーモジュール」と呼ぶことにする。
【０００６】
このように構成されているコンデンサーモジュールにおいて、配線によるインダクタンスを低減する構造（インダクタンス低減構造という。）を採用したコンデンサーモジュールが従来から知られている（例えば、特許文献１参照。）。
【０００７】
図１２は、特許文献１に記載されたコンデンサーモジュールにおいて採用されているインダクタンス低減構造を説明するために示す図である。なお、特許文献１においては、コンデンサーモジュールを「ケース入りコンデンサー」としている。
【０００８】
特許文献１に記載されたコンデンサーモジュール（ケース入りコンデンサー）において採用されているインダクタンス低減構造（以下、従来のインダクタンス低減構造という。）は、図１２に示すように、一方の電極板（陽極側電極板９１０とする。）に一体的に形成されている陽極側外部接続端子としての陽極側外部接続凸片９２０と、他方の電極板（陰極側電極板とする。）９３０に一体的に形成されている陰極側外部接続端子としての陰極側外部接続凸片９４０とが、絶縁部材９５０を介して一部（図１２においてハッチングを施した領域Ｓ）が重なりを有して配置されている。なお、陽極側外部接続凸片９２０と陰極側外部接続凸片９４０とは対をなしており、外部モジュール（図示せず。）の陽極側端子部及び陰極側端子部に接続される。
【０００９】
一方、陽極側電極板９１０はケース（図示せず。）内において複数のコンデンサー素子（図示せず。）の陽極に接続されており、陰極側電極板９３０はケース（図示せず。）内において複数のコンデンサー素子（図示せず。）の各陰極に接続されている。そして、これら陽極側電極板９１０及び陰極側電極板９３０は絶縁部材９５０を介して殆どの領域が重なりを有して配置されている。
【００１０】
従来のインダクタンス低減構造によれば、陽極側電極板９１０と陰極側電極板９３０との殆どの領域が重なりを有するように配置されていることにより、当該陽極側電極板９１０及び陰極側電極板９３０において発生するインダクタンスを低減できる。また、陽極側外部接続凸片９２０及び陰極側外部接続凸片９４０も一部が重なりを有するように配置されていることから、当該陽極側外部接続凸片９２０及び陰極側外部接続凸片９４０において発生するインダクタンスを低減することができる。
【先行技術文献】
【特許文献】
【００１１】
【特許文献１】特開２００７−３２４３１１号公報
【発明の概要】
【発明が解決しようとする課題】
【００１２】
しかしながら、特許文献１に開示されているコンデンサーモジュール（ケース入りコンデンサー）においては、対をなす陽極側外部接続凸片９２０及び陰極側外部接続凸片９４０は一組のみである場合が示されている。
【００１３】
従って、仮に、特許文献１に開示されているコンデンサーモジュールの接続対象となる外部モジュールが複数組（例えば２組とする。）の陽極側端側子部及び陰極側端子部を有し、これら複数組（２組）の陽極側端側子部及び陰極側端子部にそれぞれ特許文献１に開示されているコンデンサーモジュールを接続する場合には、当該特許文献１に開示されているコンデンサーモジュールを複数個（２個）必要とする。これを１つのコンデンサーモジュールで可能とするには、対をなす陽極側外部接続凸片及び陰極側外部接続凸片が複数組（２組）設けられているコンデンサーモジュールを構成する必要がある。
【００１４】
このように、対をなす陽極側外部接続凸片及び陰極側外部接続凸片が複数組設けられているコンデンサーモジュールを構成した場合、当該コンデンサーモジュールにおいて、複数組の陽極側外部接続凸片及び陰極側外部接続凸片で発生するインダクタンスを低減させるには、特許文献１に記載されているインダクタンス低減構造にさらなる工夫を加えることが必要となる。
【００１５】
そこで、本発明は、対をなす陽極側外部接続凸片及び陰極側外部接続凸片が複数組設けられているコンデンサーモジュールにおいて、各組の陽極側外部接続凸片及び陰極側外部接続凸片において発生するインダクタンスの低減効果をより高めることができるコンデンサーモジュールを提供することを目的とする。
【課題を解決するための手段】
【００１６】
［１］本発明のコンデンサーモジュールは、コンデンサー素子を収納するケースと、当該ケースの外部に突出して設けられ、外部モジュールの陽極側端子部及び陰極側端子部に接続するための板状の陽極側外部接続端子部及び板状の陰極側外部接続端子部を有するコンデンサーモジュールであって、前記陽極側外部接続端子部は、ｎ（ｎは２以上の整数）個の陽極側外部接続凸片と、当該ｎ個の陽極側外部接続凸片の根元部を相互に連結する陽極側連結部とを有し、前記陰極側外部接続端子部は、ｎ個の陰極側外部接続凸片と、当該ｎ個の陰極側外部接続凸片の根元部を相互に連結する陰極側連結部とを有し、前記ｎ個の陽極側外部接続凸片及び前記ｎ個の陰極側外部接続凸片は、前記ｎ個の陽極側外部接続凸片と前記ｎ個の陰極側外部接続凸片とがそれぞれ対をなしてｎ組の外部接続凸片が形成され、各前記陽極側外部接続凸片は、前記外部モジュールの前記陽極側端子部に接続される陽極側外部接続領域と、前記ｎ個の陰極側外部接続凸片のうちの少なくとも１個の陰極側外部接続凸片の一部に重なり合う陽極側重なり領域とを有し、各前記陰極側外部接続凸片は、前記外部モジュールの前記陰極側端子部に接続される陰極側外部接続領域と、前記ｎ個の陽極側外部接続凸片のうちの少なくとも１個の陽極側外部接続凸片の前記陽極側重なり領域に重なり合う陰極側重なり領域とを有し、前記ｎ組の各組に属する陽極側外部接続凸片及び陰極側外部接続凸片は、同じ組に属する各前記陽極側重なり領域と各前記陰極側重なり領域とが絶縁部材を介して重なりを有して配置されているとともに、各前記陽極側外部接続凸片及び各前記陰極側外部接続凸片の並び方向において互いに隣り合う一方の組に属する前記陽極側外部接続凸片の前記陽極側重なり領域と他方の組に属する前記陰極側外部接続凸片の前記陰極側重なり領域とが絶縁部材を介して重なりを有して配置され、かつ、前記陽極側連結部及び前記陰極側連結部は、絶縁部材を介してほぼ全面に重なりを有して配置されていることを特徴とする。
【００１７】
本発明のコンデンサーモジュールは、ｎ（ｎは２以上の整数）個の陽極側外部接続凸片とｎ個の陰極側外部接続凸片とが個々に対をなしてｎ組の外部接続凸片が形成されているコンデンサーモジュールであって、このようなコンデンサーモジュールにおいて、陽極側外部接続凸片及び陽極側外部接続凸片は、同じ組に属する陽極側外部接続凸片の陽極側重なり領域と陰極側外部接続凸片の陰極側重なり領域とが重なりを有して配置されているとともに、各陽極側外部接続凸片及び各陰極側外部接続凸片の並び方向において互いに隣り合う一方の組に属する陽極側外部接続凸片の陽極側重なり領域と他方の組に属する陰極側外部接続凸片の陰極側重なり領域とが絶縁部材を介して重なりを有して配置され、かつ、陽極側連結部及び陰極側連結部は、絶縁部材を介してほぼ全面に重なり有して配置されている。このため、対をなす陽極側外部接続凸片及び陰極側外部接続凸片がｎ組（複数組）設けられているコンデンサーモジュールにおいて、各組の陽極側外部接続凸片及び陰極側外部接続凸片において発生するインダクタンスの低減効果をより高めることができる。
【００１８】
また、各陽極側外部接続凸片及び各陰極側外部接続凸片は、上記したように、それぞれにおいて重なり領域を有しているため、それぞれの並び方向の幅（横幅という。）が広くなっている。このように、各陽極側外部接続凸片及び各陰極側外部接続凸片の横幅が広くなっているということは、これら各陽極側外部接続凸片及び前記各陰極側外部接続凸片において電流を流すことができる面積（表面積及び断面積）が大きくなるということにつながる。これにより、大電流を流す場合であっても電流が流れやすくなるため、各陽極側外部接続凸片と各陰極側外部接続凸片の発熱を抑制することができるという効果が得られる。さらに、各陽極側外部接続凸片及び前記各陰極側外部接続凸片の表面積が広くなることから放熱性にも優れるという効果が得られる。さらに、各陽極側外部接続凸片及び前記各陰極側外部接続凸片の面積が広くなることから機械的強度も高めることができるといった効果も得られる。
【００１９】
ここで、外部モジュールの陽極側端子部と陰極側端子部との間隔（対をなす陽極側端子部と陰極側端子部との間隔）は、外部モジュールの種類などによって、それぞれの種類ごとに所定の間隔が設定されている場合が多いため、各陽極側外部接続凸片の陽極側外部接続領域と各陰極側外部接続凸片の陰極側外部接続領域との間隔（ピッチ）が決められているといった制約がある。しかし、このような制約があっても、各陽極側外部接続凸片及び各陰極側外部接続凸片それぞれに重なり領域を形成することにより、インダクタンの低減効果をより高め、発熱を抑制し、機械的強度も高めつつ、ピッチを維持することが可能となる。
【００２０】
［２］本発明のコンデンサーモジュールにおいては、前記ｎ個の陽極側外部接続凸片のうち、前記隣り合う組に属する前記陰極側外部接続凸片とにおいても重なりを有して配置されている前記陽極側外部接続凸片は、前記同じ組に属する陰極側外部接続凸片とのみに重なりを有して配置されている前記陽極側外部接続凸片よりも並び方向の幅が広く形成されており、前記ｎ個の陰極側外部接続凸片のうち、前記隣り合う組に属する前記陽極側外部接続凸片とにおいても重なりを有して配置されている前記陰極側外部接続凸片は、前記同じ組に属する陽極側外部接続凸片とのみに重なりを有して配置されている前記陰極側外部接続凸片よりも並び方向の幅が広く形成されている。
【００２１】
このような構成とすることにより、隣り合う組に属する陰極側外部接続凸片とにおいても重なりを有して配置されている陽極側外部接続凸片及び隣り合う組に属する陽極側外部接続凸片とにおいても重なりを有して配置されている陰極側外部接続凸片は、面積（表面積及び断面積）をより大きくすることができる。このため、陽極側外部接続凸片と陰極側外部接続凸片の発熱を抑制することができる効果、放熱性に優れるという効果、さらに、機械的強度も高めることができるという効果をそれぞれより大きくすることができる。
【００２２】
［３］本発明のコンデンサーモジュールにおいては、前記ｎ個の陽極側外部接続凸片の並び方向において一端側に位置する陽極側外部接続凸片における前記陽極側重なり領域の根元部には前記連結部の延長となる陽極側延長領域が当該陽極側重なり領域から外方に延出形成されており、前記ｎ個の陰極側外部接続凸片の並び方向において前記一端側とは反対側の他端側に位置する陰極側外部接続凸片における前記陰極側重なり領域の根元部には前記連結部の延長となる陰極側延長領域が当該陰極側重なり領域から外方に延出形成されており、前記陽極側延長領域と前記一端側に位置する前記陰極側外部接続領域とが絶縁部材を介して重なりを有して配置され、前記陰極側延長領域と前記他端側に位置する陽極側外部接続領域とが絶縁部材を介して重なりを有して配置されていることが好ましい。
【００２３】
このように、陽極側延長領域及び陰極側延長領域がそれぞれ延出形成され、陽極側延長領域は一端側に位置する陰極側外部接続領域に重なりを有して配置されているとともに、陰極側延長領域は他端側に位置する陽極側外部接続領域に重なりを有して配置されている。このため、重なり領域をより広くすることができ、それによって、インダクタンスの低減効果をより高めることができ、これによっても、上記［１］で述べた効果のうち、「各陽極側外部接続凸片と各陰極側外部接続凸片の発熱を抑制することができ、放熱性にも優れ、さらに、機械的強度も高めることができる」といった効果をより大きくすることができる。
【００２４】
［４］本発明のコンデンサーモジュールにおいては、前記絶縁部材には、当該絶縁部材の内部に前記陽極側外部接続凸片及び前記陰極側外部接続凸片に対して電気的に非接続となっている導電性部材が設けられていることが好ましい。
【００２５】
このように、陽極側外部接続凸片及び陰極側外部接続凸片に対して電気的に非接続となっている導電性部材を絶縁性部材の内部に設けることにより、インダクタンスの低減効果がより高められることが実験により確かめられている。
【００２６】
［５］本発明のコンデンサーモジュールにおいては、前記各陽極側外部接続凸片における各々の前記陽極側外部接続領域及び前記各陰極側外部接続凸片における各々の前記陰極側外部接続領域は、前記陽極側外部接続領域の前記外部モジュールの陽極側端子部に接触する接続面と、前記陰極側外部接続領域の前記外部モジュールの陰極側端子部に接触する接続面とがほぼ同一平面上に存在可能とするように、当該陽極側外部接続領域及び前記陰極側外部接続領域のうちの少なくとも一方が、折り曲げ加工されていることが好ましい。
【００２７】
このような構成とすることにより、外部モジュールの陽極側端子部と陰極側端子部とが同一平面に存在するような場合、陽極側外部接続領域の接続面と陰極側外部接続領域の接続面とを外部モジュールの陽極側端子部と陰極側接続端子の存在する平面にスペーサーなどを用いることなく接触させることができる。これにより、本発明のコンデンサーモジュールを外部モジュールに接続する際の接続作業を容易なものとすることができる。
【００２８】
［６］本発明のコンデンサーモジュールにおいては、前記各陽極側外部接続凸片における各々の前記陽極側外部接続領域及び前記各陰極側外部接続凸片における各々の前記陰極側外部接続領域は、前記陽極側外部接続領域の前記外部モジュールの陽極側端子部に接触する接続面と、前記陰極側外部接続領域の前記外部モジュールの陰極側端子部に接触する接続面とがほぼ同一平面上に存在可能で、かつ、前記陽極側重なり領域及び前記陰極側重なり領域のうち前記外部モジュールの陽極側端子部又は陰極側端子部に直接的に対面する重なり領域が、前記外部モジュールの陽極側端子部又は陰極側端子部に対して離隔するように当該陽極側外部接続領域及び前記陰極側外部接続領域が折り曲げ加工されていることが好ましい。
【００２９】
このような構成とすることによっても、外部モジュールの陽極側端子部と陰極側端子部とが同一平面に存在するような場合、陽極側外部接続領域の接続面及び陰極側外部接続領域の接続面を外部モジュールの陽極側端子部と陰極側接続端子の存在する平面にスペーサーなどを用いることなく接触させることができる。これにより、本発明のコンデンサーモジュールを外部モジュールに接続する際の接続作業を容易なものとすることができる。
【００３０】
また、陽極側重なり領域及び陰極側重なり領域のうち外部モジュールの陽極側端子部又は陰極側端子部に直接的に対面する重なり領域が、外部モジュールの陽極側端子部又は陰極側端子部に対して離隔するように当該陽極側外部接続領域及び陰極側外部接続領域が折り曲げ加工されているため、陽極側外部接続領域の接続面と陰極側外部接続領域の接続面とを外部モジュールの陽極側端子部と陰極側接続端子に接触させたときに、外部モジュールの陽極側端子部又は陰極側端子部に直接的に対面する重なり領域と外部モジュールの陽極側端子部又は陰極側端子部との間に隙間が形成される。
【００３１】
このため、例えば、仮に、外部モジュールの陽極側端子部又は陰極側端子部に直接的に対面する重なり領域と、当該外部モジュールの陽極側端子部又は陰極側端子部との間に何らかの部材（例えば、沿面距離を長くするための部材など）が介在される場合であっても、沿面距離を長くするための部材（沿面距離延長部材という。）を上記隙間に収めることができる。それにより、陽極側外部接続領域の接続面及び陰極側外部接続領域の接続面を外部モジュールの陽極側端子部及び陰極側端子部に接触させる際に、沿面距離延長部材の存在が邪魔になることを防止することができる。
【００３２】
［７］本発明のコンデンサーモジュールにおいては、前記陽極側重なり領域及び前記陰極側重なり領域には、当該陽極側重なり領域と当該陰極側重なり領域との間の沿面距離を長くするための絶縁性の沿面距離延長部材が設けられていることが好ましい。
【００３３】
このような構成とすることにより、陽極側重なり領域と陰極側重なり領域との間の沿面距離を長くすることができる。それにより、沿面距離が短いことによって生じる課題、すなわち、結露、埃、塩分、振動などの要因によって耐圧性が劣るといった課題を解決することができる。
【００３４】
［８］本発明のコンデンサーモジュールにおいては、前記沿面距離延長部材は、前記陽極側重なり領域の側端部及び先端部と、当該陽極側重なり領域の側端部及び上端部から連続した当該陽極側重なり領域の外側表面の少なくとも一部と、前記陰極側重なり領域の側端部及び上端部と、当該陰極側重なり領域の側端部及び上端部から連続した当該陰極側重なり領域の外側表面の少なくとも一部とを覆うとともに、当該陽極側重なり領域と陰極側重なり領域との間に介在されるように設けられていることが好ましい。
【００３５】
このような構成とすることにより、各陽極側重なり領域と各陰極側重なり領域との間の沿面距離を長くすることができる。
【００３６】
［９］本発明のコンデンサーモジュールにおいては、前記絶縁部材は、合成樹脂材によってキャップ状に形成されていることが好ましい。
【００３７】
沿面距離延長部材がこのように形成されたものであることにより、各陽極側重なり領域と各陰極側重なり領域との間の沿面距離を確実に長くすることができる。
【００３８】
［１０］本発明のコンデンサーモジュールにおいては、前記絶縁部材は、折り曲げ自在の絶縁部材で形成されていることも好ましい。
【００３９】
沿面距離延長部材がこのように形成されたものであることによっても、各陽極側重なり領域と各陰極側重なり領域との間の沿面距離を確実に長くすることができる。
【００４０】
［１１］本発明のコンデンサーモジュールは、コンデンサーを収納するケースと、当該ケースの外部に突出して設けられ、外部モジュールの陽極側端子部及び陰極側端子部に接続するための板状の陽極側外部接続端子部と板状の陰極側外部接続端子部とを有するコンデンサーモジュールであって、前記陽極側外部接続端子部は、陽極側外部接続凸片を有し、前記陰極側外部接続端子部は、陰極側外部接続凸片を有し、前記陽極側外部接続凸片は、前記外部モジュールの前記陽極側端子部に接続される陽極側外部接続領域と、前記陰極側外部接続凸片の一部に絶縁部材を介して重なり合う陽極側重なり領域とを有し、前記陰極側外部接続凸片は、前記外部モジュールの前記陰極側端子部に接続される陰極側外部接続領域と、前記陽極側外部接続凸片の前記陽極側重なり領域に絶縁部材を介して重なり合う陰極側重なり領域とを有し、前記陽極側外部接続凸片及び陽極側外部接続凸片は、前記陽極側重なり領域と前記陰極側重なり領域とが重なりを有して配置されているとともに、前記陽極側重なり領域及び前記陰極側重なり領域には、当該陽極側重なり領域と当該陰極側重なり領域との間の沿面距離を長くするための絶縁性の沿面距離延長部材が設けられていることを特徴とする。
【００４１】
これは、対をなす陽極側外部接続凸片及び陰極側外部接続凸の組数に関係なく、陽極側重なり領域と陰極側重なり領域に沿面距離延長部材を設けることにより、陽極側重なり領域と陰極側重なり領域との間の沿面距離を長くすることを可能とするものである。それにより、沿面距離が短いことによって生じる課題、すなわち、結露、埃、塩分、振動などの要因によって耐圧性が劣るといった課題を解決することができる。なお、［１１］に記載の本発明のコンデンサーモジュールにおいても、［１］〜［１０］に記載の特徴を有することが可能である。
【図面の簡単な説明】
【００４２】
【図１】実施形態１に係るコンデンサーモジュール１０の外観を外部端子部３００（陽極側外部接続端子部３００Ａと陰極側外部接続端子部３００Ｂとを有する。）の側から見た図である。
【図２】図１に示すコンデンサーモジュールにおける陽極側外部接続端子部３００Ａと陰極側外部接続端子部３００Ｂとをそれぞれ個別に示す模式図である。
【図３】図１に示す外部接続端子部３００における陽極側外部接続端子部３００Ａと陰極側外部接続端子部３００Ｂとの配置を示す模式図である。
【図４】陽極側外部接続端子部３００Ａと陰極側外部接続端子部３００Ｂとの重なり領域に介在される絶縁部材５００を示す図である。
【図５】実施形態２に係るコンデンサーモジュール２０における陽極側外部接続端子部３００Ａと陰極側外部接続端子部３００Ｂとの配置を示す模式図である。
【図６】実施形態２に係るコンデンサーモジュール２０の第１変形例を示す図である。
【図７】実施形態２に係るコンデンサーモジュール２０の第２変形例を示す図である。
【図８】実施形態３に係るコンデンサーモジュールの第１態様を説明するために示す図である。
【図９】実施形態３に係るコンデンサーモジュールの第２態様を説明するために示す図である。
【図１０】実施形態３に係るコンデンサーモジュールの第３態様を説明するために示す図である。
【図１１】絶縁部材５００の内部に、陽極側外部接続凸片３１０Ａ，３２０Ａ及び陰極側外部接続凸片３１０Ｂ，３２０Ｂに対して電気的に非接続となっている導電性部材を設けた場合を説明するために示す図である。
【図１２】特許文献１に記載されたコンデンサーモジュールにおいて採用されているインダクタンス低減構造を説明するために示す図である。
【発明を実施するための形態】
【００４３】
以下、本発明の実施形態について説明する。
【００４４】
［実施形態１］
図１は、実施形態１に係るコンデンサーモジュール１０の外観を外部接続端子部３００（陽極側外部接続端子部３００Ａと陰極側外部接続端子部３００Ｂとを有する。）の側から見た図である。
図２は、図１に示すコンデンサーモジュールにおける外部接続端子部３００陽極側外部接続端子部３００Ａと陰極側外部接続端子部３００Ｂとをそれぞれ個別に示す模式図である。図２（ａ）は陽極側外部接続端子部３００Ａを示す図であり、図２（ｂ）は陰極側外部接続端子部３００Ｂを示す図である。
【００４５】
図３は、図１に示す外部接続端子部３００における陽極側外部接続端子部３００Ａと陰極側外部接続端子部３００Ｂとの配置を模式的に示す模式図である。なお、図３は図１におけるａ−ａ矢視拡大断面図である。但し、図３においては、コンデンサーモジュール１０のケース２００は図示が省略されている。また、図３は拡大図で、かつ、模式図であるため、図１における各部とは寸法が一致しない。
図４は、陽極側外部接続端子部３００Ａと陰極側外部接続端子部３００Ｂとの重なり領域に介在される絶縁部材５００を示す図である。なお、重なり領域については後述する。
【００４６】
以下、図１〜図４を参照して実施形態１に係るコンデンサーモジュール１０を説明する。
実施形態１に係るコンデンサーモジュール１０は、複数のフィルムコンデンサー（図示せず。）を収納するケース２００と、当該ケース２００の外部に突出して設けられ、外部モジュール（図示せず。）に接続するための外部接続端子部３００、複数のコンデンサーに所定の電力を供給する陽極側入力端子４００Ａ及び陰極側入力端子４００Ｂとを備えている。なお、外部接続端子部３００は、板状の陽極側外部接続端子部３００Ａと板状の陰極側外部接続端子部３００Ｂとを有している。
【００４７】
陽極側外部接続端子部３００Ａは、ｎ個（２個とする。）の陽極側外部接続凸片３１０Ａ，３２０Ａと、当該２個の陽極側外部接続凸片３１０Ａ，３２０Ａの根元部を相互に連結する陽極側連結部３３０Ａとを有している。
陰極側外部接続端子部３００Ｂも同様に、ｎ個（２個とする。）の陰極側外部接続凸片３１０Ｂ，３２０Ｂと、当該２個の陰極側外部接続凸片３１０Ｂ，３２０Ｂの根元部を相互に連結する陰極側連結部３３０Ｂとを有している。
【００４８】
また、各陽極側外部接続凸片３１０Ａ，３２０Ａの並び方向において一端側（図２においては右端側とする。）に位置する陽極側外部接続凸片３２０Ａ（図２（ａ）参照。）における陽極側重なり領域３２２Ａの根元部には連結部（陽極側連結部３３０Ａ）の延長となる陽極側延長領域３４０Ａが当該陽極側重なり領域３２２Ａから外方（図２においては右側の外方）に延出形成されている。また、各陰極側外部接続凸片３１０Ｂ，３２０Ｂの並び方向において他端側（図２においては左端側とする。）に位置する陰極側外部接続凸片３１０Ｂ（図２（ｂ）参照。）における陰極側重なり領域３１２Ｂの根元部には連結部（陰極側連結部３３０Ｂ）の延長となる陰極側延長領域３４０Ｂが当該陰極側重なり領域３１２Ｂから外方（図２においては左側の外方）に延出形成されている。
【００４９】
そして、これら陽極側延長領域３４０Ａと一端側（図２においては右端側）に位置する陰極側外部接続領域３２１Ｂの根元部とが絶縁部材５００（図２においては図示せず。）を介して重なりを有して配置され、陰極側延長領域３４０Ｂと他端側（図２においては左端側）に位置する陽極側外部接続領域３１１Ａの根元部とが絶縁部材５００（図２においては図示せず。）を介して重なりを有して配置されている。
【００５０】
ところで、上記２個の陽極側外部接続凸片３１０Ａ，３２０Ａ及び２個の陰極側外部接続凸片３１０Ｂ，３２０Ｂは、陽極側外部接続凸片３１０Ａと陰極側外部接続凸片３１０Ｂとが対をなし、陽極側外部接続凸片３２０Ａと陰極側外部接続凸片３２０Ｂとが対をなしている。
【００５１】
このように、実施形態１に係るコンデンサーモジュール１０においては、対をなす陽極側外部接続凸片及び陰極側外部接続凸片が２組設けられている。そして、同じ組に属する陽極側外部接続凸片及び陰極側外部接続凸片は、当該陽極側外部接続凸片と陰極側外部接続凸片とにおける隣り合う端部付近の一部に重なり領域を有した配置となっている。
【００５２】
すなわち、２組のうちの一方の組（第１組という。）に属する陽極側外部接続凸片３１０Ａと陰極側外部接続凸片３１０Ｂは、当該第１組に属する陽極側外部接続凸片３１０Ａと陰極側外部接続凸片３１０Ｂとにおける隣り合う端部付近の一部に重なり領域Ｓ１を有した配置となっている。具体的には、陽極側外部接続凸片３１０Ａの図示右端部側の所定領域と陰極側外部接続凸片３１０Ｂの図示左端部側の所定領域とに重なり領域Ｓ１が形成されている。
【００５３】
また、他方の組（第２組という。）に属する陽極側外部接続凸片３２０Ａと陰極側外部接続凸片３２０Ｂは、当該第２組に属する陽極側外部接続凸片３２０Ａと陰極側外部接続凸片３２０Ｂとにおける隣り合う端部付近の一部に重なり領域Ｓ２を有した配置となっている。具体的には、陽極側外部接続凸片３２０Ａの図示右端部側の所定領域と陰極側外部接続凸片３２０Ｂの図示左端部側の所定領域とに重なり領域Ｓ２が形成されている。
【００５４】
また、同じ組に属する陽極側外部接続凸片と陰極側外部接続凸片とにおける隣り合う端部付近の一部に重なり領域Ｓ１，Ｓ２を有した配置となっていることに加えて、互いに隣り合う組（この場合、第１組と第２組）同士においても、当該隣り合う一方の組に属する陽極側外部接続凸片と他方の組に属する陰極側外部接続凸片とにおける隣り合う端部付近の一部に重なり領域を有して配置されている。この場合、一方の組を第２組とし、他方の組を第１組とすれば、第２組に属する陽極側外部接続凸片３２０Ａと第１組に属する陰極側外部接続凸片３１０Ｂとにおける隣り合う端部付近の一部に重なり領域Ｓ３を有した配置となっている。具体的には、陽極側外部接続凸片３２０Ａの図示左側の所定領域と陰極側外部接続凸片３１０Ｂの図示右側の所定領域とに重なり領域Ｓ３が形成されている。
【００５５】
一方、陽極側連結部３３０Ａと陰極側連結部３３０Ｂは、それぞれがほぼ全面が対面配置されているため、図２に示すように、ほぼ全面に重なり領域を有している。また、陽極側延長領域３４０Ａと陰極側外部接続領域３２１Ｂは、上記したように、当該陰極側外部接続領域３２１Ｂの根元部において重なり領域を有している（図２参照。）。また、陰極側延長領域３４０Ｂと陽極側外部接続領域３１１Ａは、上記したように、当該陽極側外部接続領域３１１Ａの根元部において重なり領域を有している（図２参照。）。これら陽極側連結部３３０Ａと陰極側連結部３３０Ｂとの重なり領域、陽極側延長領域３４０Ａと陰極側外部接続領域３２１Ｂ及び陰極側延長領域３４０Ｂと陽極側外部接続領域３１１Ａとのそれぞれの重なり領域を「重なり領域Ｓ４」（図２参照。）とする。なお、図１及び図２においては、これら各重なり領域Ｓ１，Ｓ２，Ｓ３，Ｓ４には、それぞれハッチングが施されている。
【００５６】
また、陽極側外部接続凸片３１０Ａ，３２０Ａ及び陰極側外部接続凸片３１０Ｂ，３２０Ｂに設けられている重なり領域Ｓ１，Ｓ２，Ｓ３と、陽極側連結部３３０Ａ及び陰極側連結部３３０Ｂに設けられている重なり領域Ｓ４には絶縁部材５００（図４参照。）が介在されている。
【００５７】
ところで、陽極側外部接続凸片３１０Ａ，３２０Ａ及び陰極側外部接続凸片３１０Ｂ，３２０Ｂにおいて、両者が重なっている重なり領域Ｓ１，Ｓ２，Ｓ３以外の領域は、外部モジュール（図示せず。）の陽極側端子部及び陰極側端子部に接続するための外部接続領域である。すなわち、陽極側外部接続凸片３１０Ａ，３２０Ａ及び陰極側外部接続凸片３１０Ｂ，３２０Ｂは、それぞれにおいて、外部接続領域と重なり領域とを有している。
【００５８】
ここで、陽極側外部接続凸片３１０Ａにおいては、当該陽極側外部接続凸片３１０Ａにおける外部接続領域を「陽極側外部接続領域３１１Ａ」とし、陽極側外部接続凸片３２０Ａにおいては、当該陽極側外部接続凸片３１０Ａにおける外部接続領域を「陽極側外部接続領域３２１Ａ」とし、陰極側外部接続凸片３１０Ｂにおいては、当該陰極側外部接続凸片３１０Ｂにおける外部接続領域を「陰極側外部接続領域３１１Ｂ」とし、陰極側外部接続凸片３２０Ｂにおいては、当該陰極側外部接続凸片３２０Ｂにおける外部接続領域を「陰極側外部接続領域３２１Ｂ」とする。
【００５９】
なお、各重なり領域Ｓ１，Ｓ２，Ｓ３を、陽極側外部接続凸片３１０Ａ，３２０Ａにおける重なり領域と、陰極側外部接続凸片３１０Ｂ．３２０Ｂにおける重なり領域とに分けて説明する必要がある場合には、重なり領域Ｓ１については、陽極側外部接続凸片３１０Ａにおける重なり領域を「陽極側重なり領域３１２Ａ」とし、陰極側外部接続凸片３１０Ｂにおけるに重なり領域を「陰極側重なり領域３１２Ｂ」とする。
【００６０】
また、重なり領域Ｓ２については、陽極側外部接続凸片３２０Ａにおける重なり領域を「陽極側重なり領域３２２Ａ」とし、陰極側外部接続凸片３２０Ｂにおけるに重なり領域を「陰極側重なり領域３２２Ｂ」とし、重なり領域Ｓ３については、陽極側外部接続凸片３２０Ａにおける重なり領域を「陽極側重なり領域３２３Ａ」とし、陰極側外部接続凸片３１０Ｂにおけるに重なり領域を「陰極側重なり領域３１３Ｂ」として説明する。
【００６１】
ここで、陽極側外部接続凸片３１０Ａ，３２０Ａと陰極側外部接続凸片３１０Ｂ，３２０Ｂとの配置を、陽極側重なり領域３１２Ａ，３２２Ａ，３２３Ａと陰極側重なり領域３１２Ｂ，３１３Ｂ，３２２Ｂとを用いて説明すれば、陽極側外部接続凸片３１０Ａ，３２０Ａ及び陰極側外部接続凸片３１０Ｂ，３２０Ｂは、第１組に属する陽極側外部接続凸片３１０Ａにおける陽極側重なり領域３１２Ａと陰極側外部接続凸片３１０Ｂにおける陰極側重なり領域３１２Ｂとが重なりを有して配置されているとともに、第２組に属する陽極側外部接続凸片３２０Ａにおける陽極側重なり領域３２２Ａと陰極側外部接続凸片３２０Ｂにおける陰極側重なり領域３２２Ｂとが重なりを有して配置されている。また、互いに隣り合う組同士においても、隣り合う一方の組（第２組とする。）に属する陽極側外部接続凸片３２０Ａにおける陽極側重なり領域３２３Ａと他方の組（第１組とする。）に属する陰極側外部接続凸片３１０Ｂにおける陰極側重なり領域３１３Ｂとが重なり有して配置されている。
【００６２】
このように、各陽極側外部接続凸片３１０Ａ，３２０Ａ及び各陰極側外部接続凸片３１０Ｂ，３２０Ｂは、それぞれにおいて重なり領域を有しているため、それぞれの並び方向の幅（横幅）が広くなっている。このように、各陽極側外部接続凸片３１０Ａ，３２０Ａ及び各陰極側外部接続凸片３１０Ｂ，３２０Ｂの横幅が広くなっているということは、これら各陽極側外部接続凸片３１０Ａ，３２０Ａ及び各陰極側外部接続凸片３１０Ｂ，３２０Ｂの面積（表面積及び断面積）が大きくなるということにつながる。これにより、大電流を流す場合であっても、各陽極側外部接続凸片３１０Ａ，３２０Ａと各陰極側外部接続凸片３１０Ｂ，３２０Ｂの発熱を抑制することができるという効果が得られる。さらに、各陽極側外部接続凸片３１０Ａ，３２０Ａ及び各陰極側外部接続凸片３１０Ｂ，３２０Ｂの面積が広くなることから放熱性にも優れるという効果が得られる。さらに、各陽極側外部接続凸片３１０Ａ，３２０Ａ及び各陰極側外部接続凸片３１０Ｂ，３２０Ｂの面積が広くなることから機械的強度も高めることができるといった効果も得られる。
【００６３】
なお、各陽極側外部接続凸片３１０Ａ，３２０Ａ及び各陰極側外部接続凸片３１０Ｂ，３２０Ｂの横幅が広くなっていることの理由としては、外部モジュールの陽極側端子部と陰極側端子部との間隔（対をなす陽極側端子部と陰極側端子部との間隔）は、外部モジュールの種類などによって、それぞれの種類ごとに所定の間隔が設定されている場合が多く、各陽極側外部接続凸片３１０Ａ，３２０Ａの陽極側外部接続領域と各陰極側外部接続凸片３１０Ｂ，３２０Ｂの陰極側外部接続領域との間隔（ピッチ）が決められているといった制約があるからである。
【００６４】
例えば、当該実施形態１に係るコンデンサーモジュール１０の接続対象となる外部モジュールにおいては、外部モジュールの対をなす陽極側端子部と陰極側端子部が２組設けられていて、各組において対をなす陽極側端子部と陰極側端子部との間隔がそれぞれＤ１であったとすると、当該実施形態１に係るコンデンサーモジュール１０における陽極側外部接続領域３１１Ａ及び陰極側外部接続領域３１１Ｂそれぞれに設けられている接続孔ｈの間隔も「Ｄ１」に設定され（図３参照。）、また、陽極側外部接続領域３２１Ａ及び陰極側外部接続領域３２１Ｂそれぞれに設けられている接続孔ｈの間隔も同様に「Ｄ１」に設定されている（図３参照。）。また、隣り合う組同士における陽極側外部接続凸片３２０Ａにおける陽極側外部接続領域３２１Ａと、陰極側外部接続凸片３１０Ｂにおける陰極側外部接続領域３１１Ｂそれぞれ設けられている接続孔ｈの間隔も、外部モジュールに合わせて、例えば「Ｄ２」に設定されている（図３参照。）。
【００６５】
このような制約があっても、各陽極側外部接続凸片３１０Ａ，３２０Ａ及び各陰極側外部接続凸片３１０Ｂ，３２０Ｂそれぞれに重なり領域を形成することにより、インダクタンスの低減効果をより高め、発熱を抑制し、機械的強度も高めつつ、ピッチを維持することが可能となる。
【００６６】
また、２個の陽極側外部接続凸片３１０Ａ，３２０Ａのうち、隣り合う組に属する陰極側外部接続凸片３１０Ｂとにおいても重なりを有して配置されている陽極側外部接続凸片３２０Ａは、同じ組に属する陰極側外部接続凸片３１０Ｂとのみに重なりを有して配置されている陽極側外部接続凸片３１０Ａよりも並び方向の幅が広く形成されている。同様に、２個の陰極側外部接続凸片３１０Ｂ，３２０Ｂのうち、隣り合う組に属する陽極側外部接続凸片３２０Ａとにおいても重なりを有して配置されている陰極側外部接続凸片３１０Ｂは、同じ組に属する陽極側外部接続凸片３２０Ａとのみに重なりを有して配置されている陰極側外部接続凸片３２０Ｂよりも並び方向の幅が広く形成されている。
【００６７】
このように、隣り合う組に属する陰極側外部接続凸片３１０Ｂとにおいても重なりを有して配置されている陽極側外部接続凸片３２０Ａ及び隣り合う組に属する陽極側外部接続凸片３２０Ａとにおいても重なりを有して配置されている陰極側外部接続凸片３１０Ｂは、面積（表面積及び断面積）をより大きくすることができる。このため、陽極側外部接続凸片と陰極側外部接続凸片の発熱を抑制することができる効果、放熱性に優れるという効果、さらに、機械的強度も高めることができるという効果をそれぞれより大きくすることができる。
【００６８】
上記のように構成されている陽極側外部接続端子部３００Ａは、ケース２００内に設けられている陽極側バスバー（陽極側電極板ともいう。）３５０Ａ（図２参照。）と一体形成されており、陰極側外部接続端子部３００Ｂも同様に、ケース２００内に設けられている陰極側バスバー（陰極側電極板ともいう。）３５０Ｂ（図２参照。）と一体形成されている。
【００６９】
具体的には、陽極側外部接続端子部３００Ａは、陽極側電極板３５０Ａをケース２００の外部に延出させた延出部が陽極側連結部３３０Ａとなる。そして、当該陽極側連結部３３０Ａに２つの陽極側外部接続凸片３１０Ａ，３２０Ａが形成されている。
【００７０】
陰極側外部接続端子部３００Ｂも同様に、陰極側電極板３５０Ｂをケース２００の外部に延出させた延出部が陰極側連結部３３０Ｂとなる。そして、当該陰極側連結部３３０Ｂに２つの陰極側外部接続凸片３１０Ｂ，３２０Ｂが形成されている。
【００７１】
なお、陽極側電極板３５０Ａ及び陰極側電極板３５０Ｂは、実施形態１に係るコンデンサーモジュール１０においては、ケース２００内において、図２における一点鎖線部α１において９０度折り曲げられた状態で配設されているが、図２においては、折り曲げられていない状態が示されている。
【００７２】
このように構成されている陽極側電極板３５０Ａ及び陰極側電極板３５０Ｂも、ケース２００内において、絶縁部材５００（図４参照。）が介在された状態で対面配置されている。絶縁部材５００は、絶縁紙又は合成樹脂製の絶縁フィルムなどからなり、図４に示すように、陽極側外部接続凸片３１０Ａ，３２０Ａと陰極側外部接続凸片３１０Ｂ，３２０Ｂとの重なり領域Ｓ１，Ｓ２，Ｓ３に対応する領域５１０と、陽極側連結部３３０Ａと陰極側連結部３３０Ｂとの重なり領域Ｓ４に対応する領域５２０と、陽極側電極板３５０Ａと陰極側電極板３５０Ｂとの間の重なり領域に介在される領域５３０とを有している。
【００７３】
このような絶縁部材５００における各重なり領域に対応する領域５１０，５２０，５３０は、それぞれ対応する重なり領域よりもやや大きなサイズとすることが好ましい。例えば、陽極側外部接続凸片３１０Ａ，３２０Ａと陰極側外部接続凸片３１０Ｂ，３２０Ｂとの重なり領域に対応する領域５１０は、図１に示すように、重なり領域Ｓ１，Ｓ２，Ｓ３の上端部と側端部とからややはみ出る程度のサイズとなっている。また、陽極側連結部３３０Ａと陰極側連結部３３０Ｂとの重なり領域に介在される領域５２０は、当該陽極側連結部３３０Ａと陰極側連結部３３０Ｂとの重なり領域の上端部からやや上方にはみ出る程度のサイズとなっている。このようにすることにより、陽極側重なり領域と陰極側重なり領域との間の沿面距離を少しでも長くすることができ、それによって、耐圧性の向上を図ることができる。
【００７４】
すなわち、沿面距離が短すぎると、結露、埃、塩分、振動などの要因によって耐圧性が劣るといった課題が残る場合もある。例えば、図３における陽極側外部接続凸片３１０Ａと陰極側外部接続凸片３１０Ｂとの重なり領域Ｓ１（陽極側重なり領域３１２Ａ及び陰極側重なり領域３１２Ｂ）と例にとって説明すると、仮に、絶縁部材５００が陽極側外部接続凸片３１０Ａと陰極側外部接続凸片３１０Ｂと同じサイズであるとすると、陽極側重なり領域３１２Ａと陰極側重なり領域３１２Ｂとの間の沿面距離は、絶縁部材５００の厚みにほぼ相当するものとなる。
【００７５】
このため、陽極側外部接続凸片３１０Ａと陰極側外部接続凸片３１０Ｂとの沿面距離はせいぜい１ｍｍ〜３ｍｍ程度となってしまい、上記したような課題が残るおそれがある。これに対して、絶縁部材５００における各重なり領域に介在される領域５１０，５２０，５３０のサイズを、それぞれ対応する重なり領域よりもやや大きなサイズとすることによって、陽極側重なり領域と陰極側重なり領域との間の沿面距離を少しでも長くすることができる。
【００７６】
なお、絶縁部材５００は、陽極側電極板３５０Ａ及び陰極側電極板３５０Ｂと同様に、実施形態１に係るコンデンサーモジュール１０においては、ケース２００内において、図２における一点鎖線部α１において９０度折り曲げられた状態で配設されているが、図２においては、折り曲げられていない状態が示されている。
【００７７】
また、陽極側電極板３５０Ａは、ケース２００内において複数のフィルムコンデンサー素子（図示せず。）の陽極側に接続され、陰極側電極板３５０Ｂも、当該複数のフィルムコンデンサー素子（図示せず。）の陰極側に接続されている。なお、ケース２００内には、樹脂が充填されており、複数のフィルムコンデンサー素子、陽極側電極板３５０Ａ及び陰極側電極板３５０Ｂなどは樹脂モールドされている。
【００７８】
一方、陽極側外部接続凸片３１０Ａにおける陽極側外部接続領域３１１Ａ及び陰極側外部接続凸片３１０Ｂにおける陰極側外部接続領域３１１Ｂは、外部モジュール（図示せず。）の対応する陽極側端子部及び陰極側端子部に接続されている。また、陽極側外部接続凸片３２０Ａにおける陽極側外部接続領域３２１Ａ及び陰極側外部接続凸片３２０Ｂにおける陰極側外部接続領域３２１Ｂも、外部モジュール（図示せず。）における対応する陽極側端子部及び陰極側端子部に接続される。具体的には、陽極側外部接続領域３１１Ａ，３２１Ａ及び陰極側外部接続領域３１１Ｂ，３２１Ｂには、それぞれに接続孔ｈが形成されており、当該接続孔ｈによって外部モジュールの対応する接陽極側子部及び陰極側端子部の突起などに係合させたのちにネジなどによって接続する。
【００７９】
なお、図３においては、図示の下方の位置に外部モジュールの陽極側端子部及び陰極端子部が存在しているものとする。なお、外部モジュールの陽極側端子部及び陰極端子部は、図３におけるｘ軸とｚ軸によって形成される平面（ｘｚ平面）に平行な面（これを「外部モジュール端子面」とする。）上に存在しているものとする。
【００８０】
一方、実施形態１に係るコンデンサーモジュール１０においては、陽極側外部接続領域３１１Ａ，３２１Ａ及び陰極側外部接続領域３１１Ｂ，３２１Ｂは、陽極側外部接続領域３１１Ａ，３２１Ａ及び陰極側外部接続領域３１１Ｂ，３２１Ｂの図示下側の面を、外部モジュールの陽極側端子部及び陰極端子部に対する接続面としたとき、陽極側外部接続領域３１１Ａ，３２１Ａにおける接続面及び陰極側外部接続領域３１１Ｂ，３２１Ｂにおける接続面は、それぞれ異なった平面（段違いの平面）に存在する。
【００８１】
すなわち、陽極側外部接続領域３１１Ａ，３２１Ａにおける接続面が第１平面Ｌ１に存在するとすれば、陰極側外部接続領域３１１Ｂ，３２１Ｂにおける接続面は、第１平面Ｌ１と段違いの第２平面Ｌ２に存在する。
【００８２】
このため、例えば、陽極側外部接続領域３１１Ａ，３２１Ａを外部モジュールの陽極側端子部に面接触させると、陰極側外部接続領域３１１Ｂ，３２１Ｂは、外部モジュールの陰極側端子部に対して、陽極側外部接続凸片３１０Ａ，３２０Ａの厚みに絶縁部材５００の厚みを加えた厚みｔ１だけ離隔することとなる。これに対処するためには、厚みｔ１に相当する導電性のスペーサー（図示せず。）を陰極側外部接続領域３１１Ｂ，３２１Ｂと外部モジュールの陰極側端子部との間に介在させた状態でネジ止めを行えばよい。なお、スペーサーは始めから離隔する側の外部接続領域（この場合、陰極側外部接続領域３１１Ｂ，３２１Ｂ）に貼り付けておくようにしてもよい。
【００８３】
以上説明したように、実施形態１に係るコンデンサーモジュール１０においては、陽極側外部接続端子部３００Ａ及び陰極側外部接続端子部３００Ｂは陽極側外部接続凸片３１０Ａ，３２０Ａ及び陰極側外部接続凸片３１０Ｂ，３２０Ｂと、各陽極側外部接続凸片３１０Ａ，３２０Ａの根元部を相互に連結する板状の陽極側連結部３３０Ａと、各陰極側外部接続凸片３１０Ｂ，３２０Ｂの根元部を相互に連結する板状の陰極側連結部３３０Ｂとを有している。
【００８４】
そして、一方の組（第１組）に属する陽極側外部接続凸片３１０Ａにおける陽極側重なり領域３１２Ａと陰極側外部接続凸片３１０Ｂにおける陰極側重なり領域３１２Ｂとが重なりを有して配置されているとともに、他方の組（第２組）に属する陽極側外部接続凸片３２０Ａにおける陽極側重なり領域３２２Ａと陰極側外部接続凸片３２０Ｂにおける陰極側重なり領域３２２Ｂとが重なりを有して配置されている。また、互いに隣り合う組同士においても、隣り合う一方の組（第２組とする。）に属する陽極側外部接続凸片３２０Ａにおける陽極側重なり領域３２３Ａと他方の組（第１組とする。）に属する陰極側外部接続凸片３１０Ｂにおける陰極側重なり領域３１３Ｂとが重なり有して配置されている。
【００８５】
また、陽極側連結部３３０Ａ及び陰極側連結部３３０Ｂはほぼ全面に重なり有して配置されている。さらに、陽極側重なり領域３２２Ａの根元部には陽極側延長領域３４０Ａが延出形成されて、陰極側重なり領域３１２Ｂの根元部には陰極側延長領域３４０Ｂが延出形成されている。そして、これら陽極側延長領域３４０Ａと陰極側外部接続領域３２１Ｂとが重なりを有して配置され、陰極側延長領域３４０Ｂと陽極側外部接続領域３１１Ａとが重なりを有して配置されている。
【００８６】
陽極側外部接続端子部３００Ａ及び陰極側外部接続端子部３００Ｂがこのような構造となっていることにより、実施形態１に係るコンデンサーモジュール１０によれば、陽極側外部接続端子部３００Ａ及び陰極側外部接続端子部３００Ｂの広い領域が重なり領域を有して配置されることとなるため、陽極側外部接続端子部３００Ａ及び陰極側外部接続端子部３００Ｂにおいて発生するインダクタンスの低減効果をより大きくすることができる。
【００８７】
また、実施形態１に係るコンデンサーモジュール１０においては、陽極側外部接続端子部３００Ａ及び陰極側外部接続端子部３００Ｂ全体が広い面積となっているため、大電流を流す場合であっても、陽極側外部接続凸片３１０Ａ，３１０Ｂと陰極側外部接続凸片３１０Ｂ，３２０Ｂの発熱を抑制することができ、また、面積が大きくなることにより、放熱性にも優れ、さらに、機械的強度も高めることができるといった効果も得られる。
【００８８】
［実施形態２］
図５は、実施形態２に係るコンデンサーモジュール２０における陽極側外部接続端子部３００Ａと陰極側外部接続端子部３００Ｂとの配置を示す模式図である。図５は図３に対応する図であり、図３と同一部分には同一符号が付されている。なお、図５においても、図示の下方の位置に外部モジュールの陽極側端子部及び陰極端子部が存在しているものとする。
【００８９】
実施形態２に係るコンデンサーモジュール２０は、図５に示すように、各陽極側外部接続凸片３１０Ａ，３２０Ａにおける各々の陽極側外部接続領域３１１Ａ，３２１Ａの接続面と各陰極側外部接続凸片３１０Ｂ，３２０Ｂにおける各々の陰極側外部接続領域３１１Ｂ，３２１Ｂの接続面とが、ほぼ同一平面Ｌ３上に存在するような配列となっている。このような構成とするためには、陽極側外部接続領域３１１Ａ，３２１Ａ及び陰極側外部接続領域３１１Ｂ，３２１Ｂを折り曲げ加工する必要があるが、このような加工は、例えば、プレス加工装置により容易に実現可能である。
【００９０】
なお、実施形態２に係るコンデンサーモジュール２０の場合、陽極側外部接続領域３１１Ａ，３２１Ａ及び陰極側外部接続領域３１１Ｂ，３２１Ｂが折り曲げ加工されていることにより、当該陽極側外部接続領域３１１Ａ，３２１Ａ及び陰極側外部接続領域３１１Ｂ，３２１Ｂの平面Ｌ３を基準とした場合、重なり領域Ｓ１，Ｓ２，Ｓ３が、平面Ｌ３よりも図示の上下方向（ｙ軸に沿った方向）に出っ張った状態となる。
【００９１】
このため、外部モジュールにおける陽極側端子部及び陰極側端子部が１枚の平板状の板体に存在する場合には、陽極側外部接続領域３１１Ａ，３２１Ａ及び陰極側外部接続領域３１１Ｂ、３２１Ｂを外部モジュールにおける陽極側端子部及び陰極側端子部に接触させようとしたときに、陽極側外部接続領域３１１Ａ，３２１Ａ及び陰極側外部接続領域３１１Ｂ，３２１Ｂが外部モジュールにおける陽極側端子部及び陰極側端子部から離隔してしまうこととなる。
【００９２】
このような場合においては、重なり領域Ｓ１，Ｓ２，Ｓ３が陽極側外部接続領域３１１Ａ，３２１Ａ及び陰極側外部接続領域３１１Ｂ、３２１Ｂに対して出っ張っている分に対応する厚みｔ２（図５参照。）を有する導電性のスペーサー（図示せず。）を、陽極側外部接続領域３１１Ａ，３２１Ａ及び陰極側外部接続領域３１１Ｂ，３２１Ｂと外部モジュールにおける陽極側端子部及び陰極側端子部との間に介在させてネジ止めすればよい。
【００９３】
なお、外部モジュールにおける陽極側端子部と陰極側端子部との間に空間が存在する場合には、各重なり領域Ｓ１，Ｓ２，Ｓ３が、外部モジュールにおける陽極側端子部と陰極側端子部との間の空間に位置させるようにすれば、スペーサーなどを用いることなく陽極側外部接続領域３１１Ａ，３２１Ａ及び陰極側外部接続領域３１１Ｂ，３２１Ｂを外部モジュールにおける陽極側端子部及び陰極側端子部に接続することができる。
【００９４】
［実施形態２の変形例］
図６は、実施形態２に係るコンデンサーモジュール２０の第１変形例を示す図である。
図７は、実施形態２に係るコンデンサーモジュール２０の第２変形例を示す図である。
なお、図６及び図７においても、図示の下方の位置に外部モジュールの陽極側端子部及び陰極側端子部が存在しているものとする。また、実施形態２に係るコンデンサーモジュール２０の第１変形例をコンデンサーモジュール２１とし、実施形態２に係るコンデンサーモジュール２０の第２変形例をコンデンサーモジュール２２として説明する。
【００９５】
実施形態２の第１変形例としてのコンデンサーモジュール２１及び第２変形例としてのコンデンサーモジュール２２も上記実施形態に係るコンデンサーモジュール２０と同様、陽極側外部接続領域３１１Ａ，３２１Ａ及び陰極側外部接続領域３１１Ｂ，３２１Ｂは、ほぼ同一平面Ｌ３上に存在する配列となっている。
【００９６】
まず、実施形態２の第１変形例としてのコンデンサーモジュール２１について説明する。実施形態３の第１変形例としてのコンデンサーモジュール２１は、図６に示すように、一方の外部接続端子（陽極側外部接続凸片３１０Ａ，３２０Ａとする。）は、折り曲げ加工がなされてなく、陽極側外部接続領域３１１Ａ、陽極側重なり領域３１２Ａ、陽極側外部接続領域３２１Ａ、陽極側重なり領域３２２Ａ，３２３Ａがほぼ同一平面Ｌ３上に存在している。一方、他方の外部接続端子（陰極側外部接続凸片３１０Ｂ，３２０Ｂとする。）は、陰極側外部接続領域３１１Ｂ，３２１Ｂが陽極側外部接続領域３１１Ａ，３２１Ａと同一平面Ｌ３上に存在するように折り曲げ加工されている。
【００９７】
実施形態２の第１変形例としてのコンデンサーモジュール２１によれば、図６に示すように、陽極側外部接続凸片３１０Ａ，３２０Ａ及び陰極側外部接続凸片３１０Ｂ，３２０Ｂは、外部モジュールにおける陽極側端子部と陰極側端子部に対面する側の面がほぼ同一平面Ｌ３上に存在する。すなわち、図６の左側から順に、陽極側外部接続領域３１１Ａ、陽極側重なり領域３１２Ａ、陰極側外部接続領域３１１Ｂ、陽極側重なり領域３２３Ａ、陽極側外部接続領域３２１Ａ、陽極側重なり領域３２２Ａ、陰極側外部接続領域３２１Ｂがほぼ同一平面Ｌ３上に存在することとなる。このため、陽極側外部接続領域３１１Ａ，３２１Ａ及び陰極側外部接続領域３１１Ｂ，３２１Ｂを外部モジュールにおける陽極側端子部と陰極側端子部にスペーサーなどを必要とすることなくそのまま接続することができる。
【００９８】
次に、実施形態２の第２変形例としてのコンデンサーモジュール２２について説明する。実施形態３の第２変形例としてのコンデンサーモジュール２２は、図７に示すように、陽極側外部接続凸片３１０Ａ，３１０Ｂにおける各々の陽極側外部接続領域３１１Ａ，３２１Ａと陰極側外部接続凸片３１０Ｂ，３２０Ｂにおける各々の陰極側外部接続領域３１１Ｂ，３２１Ｂとが、ほぼ同一平面Ｌ３上に存在し、かつ、各重なり領域Ｓ１，Ｓ２，Ｓ３が、外部回路モジュールの陽極側端子部又は陰極側端子部に対して離隔するように当該陽極側外部接続領域３１１Ａ，３２１Ａ及び前記陰極側外部接続領域３１１Ｂ，３２１Ｂが折り曲げ加工されている。
【００９９】
このような構成とすることによって、図７に示すように、陽極側外部接続凸片３１０Ａ，３２０Ａ及び陰極側外部接続凸片３１０Ｂ，３２０Ｂは、外部モジュールにおける陽極側端子部と陰極側端子部に対面する側の面がほぼ同一平面Ｌ３上に存在する。すなわち、図７の左側から順に、陽極側外部接続領域３１１Ａ、陰極側外部接続領域３１１Ｂ、陽極側外部接続領域３２１Ａ、陰極側外部接続領域３２１Ｂがほぼ同一平面Ｌ３上に存在することとなる。このため、陽極側外部接続領域３１１Ａ，３２１Ａ及び陰極側外部接続領域３１１Ｂ，３２１Ｂを外部モジュールにおける陽極側端子部と陰極側端子部にスペーサーなどを必要とすることなくそのまま接続することができる。
【０１００】
また、外部モジュールの陽極側端子部及び陰極側端子部に直接的に対面する重なり領域（陽極側重なり領域３１２Ａ，３２３Ａ，３２２Ａ）が、外部モジュールの陽極側端子部又は陰極側端子部に対して離隔しているため、陽極側外部接続領域３１１Ａ，３２１Ａ及び陰極側外部接続領域３１１Ｂ，３２１Ｂを外部モジュールにおける陽極側端子部と陰極側端子部に接続させたときに、外部モジュールの陽極側端子部及び陰極側端子部に直接的に対面する重なり領域と外部モジュールの陽極側端子部又は陰極側端子部との間に隙間ｔ３が形成される。
【０１０１】
このため、例えば、仮に、外部モジュールの陽極側端子部又は陰極側端子部に直接的に対面する重なり領域と外部モジュールの陽極側端子部又は陰極側端子部との間に何らかの部材（例えば、沿面距離を長くするための部材など）が介在される場合であっても、当該沿面距離を長くするための部材（沿面距離延長部材という。）を上記隙間に収めることができる。それにより、陽極側外部接続領域３１１Ａ，３２１Ａの接続面及び陰極側外部接続領域３１１Ｂ，３２１Ｂの接続面を外部モジュールの陽極側端子部及び陰極側端子部に接触させる際に、沿面距離延長部材の存在が邪魔になることを防止することができる。
【０１０２】
［実施形態３］
実施形態３に係るコンデンサーモジュールは、陽極側外部接続凸片３１０Ａ，３２０Ａと陰極側外部接続凸片３１０Ｂ，３２０Ｂとの重なり領域Ｓ１，Ｓ２，Ｓ３における耐圧性の向上を、より積極的に実現するものである。
【０１０３】
以下、実施形態３に係るコンデンサーモジュールについて説明する。なお、実施形態３に係るコンデンサーモジュールは、陽極側外部接続凸片３１０Ａ，３２０Ａと陰極側外部接続凸片３１０Ｂ，３２０Ｂとの重なり領域Ｓ１，Ｓ２，Ｓ３に、沿面距離をより長くするための沿面距離延長部材を設けた点が、上記各実施形態と異なる。
【０１０４】
なお、陽極側外部接続凸片３１０Ａ，３２０Ａと陰極側外部接続凸片３１０Ｂ，３２０Ｂとの重なり領域Ｓ１，Ｓ２，Ｓ３に、沿面距離延長部材を設けることは、上記各実施形態のすべてにおいて適用可能であるが、ここでは、実施形態１に係るコンデンサーモジュール１０、実施形態２に係るコンデンサーモジュール２０及び実施形態２に係るコンデンサーモジュールにおける第２変形例（コンデンサーモジュール２２）に適用した場合について説明する。
【０１０５】
沿面距離延長部材は、例えば、陽極側重なり領域３１２Ａと陰極側重なり領域３１２Ｂを例にとれば、陽極側重なり領域３１２Ａの側端部及び上端部と、当該陽極側重なり領域３１２Ａの側端部及び上端部から連続した当該陽極側重なり領域３１２Ａの外側表面の少なくとも一部と、陰極側重なり領域３１２Ｂの側端部及び上端部と、当該陰極側重なり領域３１２Ｂの側端部及び上端部から連続した当該陰極側重なり領域３１２Ｂの外側表面の少なくとも一部とを覆うとともに、当該陽極側重なり領域３１２Ａと陰極側重なり領域３１２Ｂとの間に介在されるように設けられている。
【０１０６】
以下、具体例を実施形態３に係るコンデンサーモジュールの第１態様、第２態様及び第３態様として説明する。
【０１０７】
図８は、実施形態３に係るコンデンサーモジュールの第１態様を説明するために示す図である。実施形態３に係るコンデンサーモジュールの第１態様を「第１態様のコンデンサーモジュール３１」又は単に「コンデンサーモジュール３１」として説明する。
【０１０８】
第１態様のコンデンサーモジュール３１の基本的な構成は、実施形態１に係るコンデンサーモジュール１０と同じであるため、外観構成などは図示を省略する。なお、図８は図３に対応する図であり、図３と同一部分には同一符号が付されている。
【０１０９】
また、実施形態３においては、沿面距離延長部材が合成樹脂によってキャップ状に形成されている場合と、沿面距離延長部材が絶縁紙などの折り曲げ自在な絶縁板で形成されている場合とを説明する。ここで、キャップ状に形成されている沿面距離延長部材を「第１沿面距離延長部材６１０」とし、折り曲げ自在な絶縁板で形成されている沿面距離延長部材を「第２沿面距離延長部材６２０」として説明する。これは、後に説明する実施形態３に係るコンデンサーモジュールの第２態様及び実施形態３に係るコンデンサーモジュールの第３態様においても同様である。
【０１１０】
図８（ａ）はキャップ状の第１沿面距離延長部材６１０が重なり領域Ｓ１，Ｓ２，Ｓ３に設けられている場合を示している。これを、重なり領域Ｓ１（陽極側重なり領域３１２Ａ及び陰極側重なり領域３１２Ｂ）を例にとって説明する。
【０１１１】
重なり領域Ｓ１にキャップ状の第１沿面距離延長部材６１０を形成するには、重なり領域Ｓ１（陽極側重なり領域３１２Ａ及び陰極側重なり領域３１２Ｂ）を樹脂モールドする方法を採用することができる。このよう第１沿面距離延長部材６１０は重なり領域Ｓ２，Ｓ３においても同様に設けることができる。
【０１１２】
また、重なり領域Ｓ１，Ｓ２，Ｓ３を個々に覆うことができるような絶縁キャップを予め複数個製造しておき、コンデンサーモジュール３１を外部モジュールに接続する際に、それぞれの絶縁キャップで各重なり領域Ｓ１，Ｓ２，Ｓ３を個々に覆うようにしてもよい。
【０１１３】
なお、図８（ａ）は図３と同様、断面図（図１のａ−ａ矢視断面図）であるため、重なり領域の先端部が示されていないが、第１沿面距離延長部材６１０は、個々の重なり領域Ｓ１，Ｓ２，Ｓ３の各上端部を含めて重なり領域Ｓ１，Ｓ２，Ｓ３全体を個々に覆うようにすることが好ましい。
【０１１４】
重なり領域Ｓ１，Ｓ２，Ｓ３に図８（ａ）に示すような第１沿面距離延長部材６１０を設けることによって、陽極側重なり領域と陰極側重なり領域との間の沿面距離を長くすることができる。例えば、陽極側外部接続凸片３１０Ａ及び陰極側外部接続凸片３１０Ｂの重なり領域Ｓ１を例にとると、陽極側重なり領域３１２Ａと陰極側重なり領域３１２Ｂとの間における沿面距離は、図８（ａ）における破線Ｃ１で示すように、第１沿面距離延長部材６１０の外周に沿った距離となる。
【０１１５】
このため、陽極側重なり領域３１２Ａと陰極側重なり領域３１２Ｂとの間の沿面距離は、第１沿面距離延長部材６１０が存在しない場合に比べて大幅に長くすることができる。それによって、結露、埃、塩分、振動などの要因によって耐圧性が劣るといった課題を解決することができる。このことは、他の重なり領域Ｓ２，Ｓ３においても同様である。
【０１１６】
図８（ｂ）は折り曲げ自在な絶縁紙などの絶縁部材により形成されている第２沿面距離延長部材６２０が重なり領域Ｓ１，Ｓ２，Ｓ３に設けられている場合を示している。これを、重なり領域Ｓ１（陽極側重なり領域３１２Ａ及び陰極側重なり領域３１２Ｂ）を例にとって説明する。このような絶縁紙などの絶縁部材により形成されている第２沿面距離延長部材６２０は、図４において示した絶縁部材５００において、重なり領域Ｓ１，Ｓ２，Ｓ３に対応する領域５１０と一体的に形成することができる。
【０１１７】
図８（ｂ）に示すように、陽極側重なり領域３１２Ａと陰極側重なり領域３１２Ｂとの間に第２沿面距離延長部材６２０としての絶縁板を挟み込んで、陽極側重なり領域３１２Ａの側端部及び陰極側重なり領域Ｓ１Ｂの側端部を覆ったのちにほぼ１８０度に折り返して、陽極側重なり領域３１２Ａと陰極側重なり領域３１２Ｂのそれぞれ外側表面に沿わせるようにする。このとき、第２沿面距離延長部材６２０としての絶縁板と陽極側重なり領域３１２Ａと陰極側重なり領域３１２Ｂのそれぞれ外側表面との間は密着していてもよく、また、図８（ｂ）に示すように、多少の隙間が存在していてもよい。このような第２沿面距離延長部材６２０は重なり領域Ｓ２，Ｓ３においても同様に設けることができる。
【０１１８】
なお、図８（ｂ）も図３と同様、断面図（図１のａ−ａ矢視断面図）であるため、重なり領域Ｓ１，Ｓ２，Ｓ３の先端部が示されていないが、第２沿面距離延長部材６２０は、重なり領域の先端部からさらに所定量だけ上方に突出させて上端部を覆うように設けることが好ましい。
【０１１９】
各重なり領域Ｓ１，Ｓ２，Ｓ３に図８（ｂ）に示すような第２沿面距離延長部材６２０を設けることによって、陽極側重なり領域と陰極側重なり領域との間の沿面距離を長くすることができる。例えば、陽極側外部接続凸片３１０Ａ及び陰極側外部接続凸片３１０Ｂの重なり領域Ｓ１を例にとると、陽極側重なり領域３１２Ａと陰極側重なり領域３１２Ｂとの間における沿面距離は、図８（ｂ）における破線Ｃ２で示すように、第２沿面距離延長部材６２０の外周に沿った距離となる。
【０１２０】
このため、陽極側重なり領域３１２Ａと陰極側重なり領域３１２Ｂとの間の沿面距離は、第２沿面距離延長部材６２０が存在しない場合に比べて大幅に長くすることができる。それによって、結露、埃、塩分、振動などの要因によって耐圧性が劣るといった課題を解決することができる。このことは、他の重なり領域Ｓ２，Ｓ３においても同様である。
【０１２１】
図９は、実施形態３に係るコンデンサーモジュールの第２態様を説明するために示す図である。実施形態３に係るコンデンサーモジュールの第２態様を「第２態様のコンデンサーユニット３２」又は単に「コンデンサーモジュール３２」として説明する。
【０１２２】
第２態様のコンデンサーモジュール３２の基本的な構成は、実施形態２に係るコンデンサーモジュール２０と同じであるため、外観構成などは図示を省略する。なお、図９は図５に対応する図であり、図５と同一部分には同一符号が付されている。
【０１２３】
図９（ａ）は図８（ａ）と同様にキャップ状の第１沿面距離延長部材６１０が重なり領域Ｓ１，Ｓ２，Ｓ３に設けられている場合を示している。これを、重なり領域Ｓ１（陽極側重なり領域３１２Ａ及び陰極側重なり領域３１２Ｂ）を例にとって説明する。
【０１２４】
重なり領域Ｓ１にキャップ状の第１沿面距離延長部材６１０を形成するには、第２態様のコンデンサーモジュール３２と同様に、重なり領域Ｓ１（陽極側重なり領域３１２Ａ及び陰極側重なり領域３１２Ｂ）を樹脂モールドする方法を採用することができる。このような第１沿面距離延長部材６１０は重なり領域Ｓ２，Ｓ３においても同様に設けることができる。
【０１２５】
また、重なり領域Ｓ１，Ｓ２，Ｓ３を個々に覆うことができるような絶縁キャップを予め複数個製造しておき、第２態様のコンデンサーモジュール３２を外部モジュールに接続する際に、それぞれの絶縁キャップで各重なり領域Ｓ１，Ｓ２，Ｓ３を個々に覆うようにしてもよい。
【０１２６】
なお、図９（ａ）は図５と同様、断面図（図１のａ−ａ矢視断面図）であるため、重なり領域の先端部が示されていないが、第１沿面距離延長部材６１０は、個々の重なり領域Ｓ１，Ｓ２，Ｓ３の各上端部を含めて重なり領域Ｓ１，Ｓ２，Ｓ３全体を個々に覆うようにすることが好ましい。
【０１２７】
重なり領域Ｓ１，Ｓ２，Ｓ３に図９（ａ）に示すような第１沿面距離延長部材６１０を設けることによって、陽極側重なり領域と陰極側重なり領域との間の沿面距離を長くすることができる。例えば、陽極側外部接続凸片３１０Ａ及び陰極側外部接続凸片３１０Ｂの重なり領域Ｓ１を例にとると、陽極側重なり領域３１２Ａと陰極側重なり領域３１２Ｂとの間における沿面距離は、図９（ａ）における破線Ｃ１で示すように、第１沿面距離延長部材６１０の外周に沿った距離となる。
【０１２８】
このため、陽極側重なり領域３１２Ａと陰極側重なり領域３１２Ｂとの間の沿面距離は、第１沿面距離延長部材６１０が存在しない場合に比べて大幅に長くすることができる。それによって、結露、埃、塩分、振動などの要因によって耐圧性が劣るといった課題を解決することができる。このことは、他の重なり領域Ｓ２，Ｓ３においても同様である。
【０１２９】
図９（ｂ）は折り曲げ自在な絶縁板により形成されている第２沿面距離延長部材６２０が重なり領域Ｓ１，Ｓ２，Ｓ３に設けられている場合を示している。これを、重なり領域Ｓ１（陽極側重なり領域３１２Ａ及び陰極側重なり領域３１２Ｂ）を例にとって説明する。
【０１３０】
図９（ｂ）に示すように、陽極側重なり領域３１２Ａと陰極側重なり領域３１２Ｂとの間に第２沿面距離延長部材６２０としての絶縁板を挟み込んで、陽極側重なり領域３１２Ａの側端部及び陰極側重なり領域Ｓ１Ｂの側端部を覆ったのちにほぼ１８０度に折り返して、陽極側重なり領域３１２Ａと陰極側重なり領域３１２Ｂのそれぞれ外側表面に沿わせるようにする。このとき、第２沿面距離延長部材６２０としての絶縁板と陽極側重なり領域３１２Ａと陰極側重なり領域３１２Ｂのそれぞれ外側表面との間は密着していてもよく、また、図８（ｂ）に示すように、多少の隙間が存在していてもよい。このような第２沿面距離延長部材６２０は重なり領域Ｓ２，Ｓ３においても同様に設けることができる。
【０１３１】
なお、図９（ｂ）も図５と同様、断面図（図１のａ−ａ矢視断面図）であるため、重なり領域Ｓ１，Ｓ２，Ｓ３の先端部が示されていないが、第２沿面距離延長部材６２０は、重なり領域の先端部からさらに所定量だけ上方に突出させて上端部を覆うように設けることが好ましい。
【０１３２】
各重なり領域Ｓ１，Ｓ２，Ｓ３に図９（ｂ）に示すような第２沿面距離延長部材６２０を設けることによって、陽極側重なり領域と陰極側重なり領域との間の沿面距離を長くすることができる。例えば、陽極側外部接続凸片３１０Ａ及び陰極側外部接続凸片３１０Ｂの重なり領域Ｓ１を例にとると、陽極側重なり領域３１２Ａと陰極側重なり領域３１２Ｂとの間における沿面距離は、図９（ｂ）における破線Ｃ２で示すように第２沿面距離延長部材６２０の外周に沿った距離となる。
【０１３３】
このため、陽極側重なり領域３１２Ａと陰極側重なり領域３１２Ｂとの間の沿面距離は、第２沿面距離延長部材６２０が存在しない場合に比べて大幅に長くすることができる。それによって、結露、埃、塩分、振動などの要因によって耐圧性が劣るといった課題を解決することができる。このことは、他の重なり領域Ｓ２，Ｓ３においても同様である。
【０１３４】
図１０は、実施形態３に係るコンデンサーモジュールの第３態様を説明するために示す図である。実施形態３に係るコンデンサーモジュールの第３態様を「第３態様のコンデンサーユニット３３」又は単に「コンデンサーモジュール３３」として説明する。
【０１３５】
実施形態３に係る第３態様のコンデンサーモジュール３３の基本的な構成は、実施形態２に係るコンデンサーモジュール２０と同じであるため、外観構成などは図示を省略する。なお、図１０は図７に対応する図であり、図７と同一部分には同一符号が付されている。
【０１３６】
図１０（ａ）は図８（ａ）と同様にキャップ状の第１沿面距離延長部材６１０が重なり領域Ｓ１，Ｓ２，Ｓ３に設けられている場合を示している。これを、重なり領域Ｓ１（陽極側重なり領域３１２Ａ及び陰極側重なり領域３１２Ｂ）を例にとって説明する。
【０１３７】
重なり領域Ｓ１にキャップ状の第１沿面距離延長部材６１０を形成するには、重なり領域Ｓ１（陽極側重なり領域３１２Ａ及び陰極側重なり領域３１２Ｂ）を樹脂モールドする方法を採用することができる。このような第１沿面距離延長部材６１０は重なり領域Ｓ２，Ｓ３においても同様に設けることができる。
【０１３８】
また、重なり領域Ｓ１，Ｓ２，Ｓ３を個々に覆うことができるような絶縁キャップを予め複数個製造しておき、コンデンサーモジュール３１を外部モジュールに接続する際に、それぞれの絶縁キャップで各重なり領域Ｓ１，Ｓ２，Ｓ３を個々に覆うようにしてもよい。
【０１３９】
なお、図１０（ａ）は図７と同様、断面図（図１のａ−ａ矢視断面図）であるため、重なり領域の先端部が示されていないが、第１沿面距離延長部材６１０は、個々の重なり領域Ｓ１，Ｓ２，Ｓ３の各上端部を含めて重なり領域Ｓ１，Ｓ２，Ｓ３全体を個々に覆うようにすることが好ましい。
【０１４０】
重なり領域Ｓ１，Ｓ２，Ｓ３に図１０（ａ）に示すような第１沿面距離延長部材６１０を設けることによって、陽極側重なり領域と陰極側重なり領域との間の沿面距離を長くすることができる。例えば、陽極側外部接続凸片３１０Ａ及び陰極側外部接続凸片３１０Ｂの重なり領域Ｓ１を例にとると、陽極側重なり領域３１２Ａと陰極側重なり領域３１２Ｂとの間における沿面距離は、図１０（ａ）における破線Ｃ１で示すように、第１沿面距離延長部材６１０の外周に沿った距離となる。
【０１４１】
このため、陽極側重なり領域３１２Ａと陰極側重なり領域３１２Ｂとの間の沿面距離は、第１沿面距離延長部材６１０が存在しない場合に比べて大幅に長くすることができる。それによって、結露、埃、塩分、振動などの要因によって耐圧性が劣るといった課題を解決することができる。このことは、他の重なり領域Ｓ２，Ｓ３においても同様である。
【０１４２】
図１０（ｂ）は折り曲げ自在な絶縁板により形成されている第２沿面距離延長部材６２０が重なり領域Ｓ１，Ｓ２，Ｓ３に設けられている場合を示している。これを、重なり領域Ｓ１（陽極側重なり領域３１２Ａ及び陰極側重なり領域３１２Ｂ）を例にとって説明する。
【０１４３】
図１０（ｂ）に示すように、陽極側重なり領域３１２Ａと陰極側重なり領域３１２Ｂとの間に第２沿面距離延長部材６２０としての絶縁板を挟み込んで、陽極側重なり領域３１２Ａの側端部及び陰極側重なり領域Ｓ１Ｂの側端部を覆ったのちにほぼ１８０度に折り返して、陽極側重なり領域３１２Ａと陰極側重なり領域３１２Ｂのそれぞれ外側表面に沿わせるようにする。このとき、第２沿面距離延長部材６２０としての絶縁板と陽極側重なり領域３１２Ａと陰極側重なり領域３１２Ｂのそれぞれ外側表面との間は密着していてもよく、また、図１０（ｂ）に示すように、多少の隙間が存在していてもよい。このような第２沿面距離延長部材６２０は重なり領域Ｓ２，Ｓ３においても同様に設けることができる。
【０１４４】
なお、図１０（ｂ）も図７と同様、断面図（図１のａ−ａ矢視断面図）であるため、重なり領域Ｓ１，Ｓ２，Ｓ３の先端部が示されていないが、第２沿面距離延長部材６２０は、重なり領域の先端部からさらに所定量だけ上方に突出させて上端部を覆うように設けることが好ましい。
【０１４５】
各重なり領域Ｓ１，Ｓ２，Ｓ３に図１０（ｂ）に示すような第２沿面距離延長部材６２０を設けることによって、陽極側重なり領域と陰極側重なり領域との間の沿面距離を長くすることができる。例えば、陽極側外部接続凸片３１０Ａ及び陰極側外部接続凸片３１０Ｂの重なり領域Ｓ１を例にとると、陽極側重なり領域３１２Ａと陰極側重なり領域３１２Ｂとの間における沿面距離は、図１０（ｂ）における破線Ｃ２で示すように、第２沿面距離延長部材６２０の外周に沿った距離となる。
【０１４６】
このため、陽極側重なり領域３１２Ａと陰極側重なり領域３１２Ｂとの間の沿面距離は、第２沿面距離延長部材６２０が存在しない場合に比べて大幅に長くすることができる。それによって、結露、埃、塩分、振動などの要因によって耐圧性が劣るといった課題を解決することができる。このことは、他の重なり領域Ｓ２，Ｓ３においても同様である。
【０１４７】
なお、第３態様のコンデンサーモジュール３３は、上記した効果が得られるだけでなく、当該コンデンサーモジュール３３の基本的な構成が、実施形態２に係るコンデンサーモジュール２０と同じであるため、当該コンデンサーモジュール３３を外部モジュールの陽極側接続端子及び陰極側接続端子に接続する際に、第１沿面距離延長部材６１０又は第２沿面距離延長部材６２０の存在が邪魔になることを防止することができるといった効果が得られる。
【０１４８】
すなわち、当該コンデンサーモジュール３３を外部モジュールの陽極側接続端子及び陰極側接続端子に接続したときに、陽極側重なり領域３１２Ａ，３２２Ａ，３２３Ａと、外部モジュールの陽極側接続端子との間には隙間ｔ３（図７参照。）が生じる。このため、第１沿面距離延長部材６１０又は第２沿面距離延長部材６２０の厚みを当該隙間ｔ３以内となるように設定することにより、第１沿面距離延長部材６１０又は第２沿面距離延長部材６２０が陽極側重なり領域３１２Ａ，３２２Ａ，３２３Ａよりも出っ張ることがなくなり、それによって、当該コンデンサーモジュール３３を外部モジュールの陽極側接続端子及び陰極側接続端子に接続する際に、第１沿面距離延長部材６１０又は第２沿面距離延長部材６２０が邪魔になることがなくなる。
【０１４９】
なお、本発明は上記した各実施形態に限られるものではなく、本発明の要旨を逸脱しない範囲で種々変形実施可能となるものである。たとえば、下記に示すような変形実施も可能である。
【０１５０】
（１）上記各実施形態においては、対をなす陽極側外部接続凸片及び陰極側外部接続凸が２組設けられているコンデンサーモジュールを例示したが、これに限られるものではなく、対をなす陽極側外部接続凸片及び陰極側外部接続凸が３組以上設けられているコンデンサーモジュールにおいても適用できる。
【０１５１】
（２）上記実施形態３においては、対をなす陽極側外部接続凸片及び陰極側外部接続凸が複数組設けられているコンデンサーモジュールにおいて、個々の重なり領域（陽極側重なり領域及び陰極側重なり領域）に第１沿面距離延長部材６１０又は第２沿面距離延長部材６２０を設ける場合を例示したが、これに限られるものではなく、対をなす陽極側外部接続凸片及び陰極側外部接続凸片が１組のみのコンデンサーモジュールにおいても適用できる。
【０１５２】
すなわち、コンデンサー素子を収納するケースと、当該ケースの外部に突出して設けられ、外部モジュールの陽極側端子部及び陰極側端子部に接続するための板状の陽極側外部接続端子部と板状の陰極側外部接続端子部とを有するコンデンサーモジュールであって、前記陽極側外部接続端子部は、陽極側外部接続凸片を有し、前記陰極側外部接続端子部は、陰極側外部接続凸片を有し、前記陽極側外部接続凸片は、前記外部モジュールの前記陽極側端子部に接続される陽極側外部接続領域と、前記陰極側外部接続凸片の一部に絶縁部材を介して重なり合う陽極側重なり領域とを有し、前記陰極側外部接続凸片は、前記外部モジュールの前記陰極側端子部に接続される陰極側外部接続領域と、前記陽極側外部接続凸片の前記陽極側重なり領域に絶縁部材を介して重なり合う陰極側重なり領域とを有し、前記陽極側外部接続凸片及び陽極側外部接続凸片は、前記陽極側重なり領域と前記陰極側重なり領域とが重なりを有して配置されているとともに、前記陽極側重なり領域及び前記陰極側重なり領域には、当該陽極側重なり領域と当該陰極側重なり領域との間の沿面距離を長くするための絶縁性の沿面距離延長部材が設けられているといった構成を有するコンデンサーモジュールであってもよい。
【０１５３】
（３）上記実施形態３においては、第１沿面距離延長部材６１０及び第２沿面距離延長部材６２０は、陽極側重なり領域及び陰極側重なり領域の外表面全面を覆うようにしたが、陽極側重なり領域及び陰極側重なり領域の外表面全面ではなく、一部であってもよい。ただし、一部を覆う場合においても陽極側重なり領域及び陰極側重なり領域の側端部から連続して覆うようにする。
【０１５４】
（４）上記各実施形態においては、陽極側重なり領域と陰極側重なり領域との間及び陽極側連結部と陰極側連結部との間には、それぞれ絶縁部材を介在させているが、当該絶縁部材は、当該絶縁部材の内部に、陽極側外部接続凸片３１０Ａ，３２０Ａ及び陰極側外部接続凸片３１０Ｂ，３２０Ｂに対して電気的に非接続となっている導電性部材を設けるようにしてもよい。
【０１５５】
図１１は、絶縁部材の内部に、陽極側外部接続凸片３１０Ａ，３２０Ａ及び陰極側外部接続凸片３１０Ｂ，３２０Ｂに対して電気的に非接続となっている導電性部材５５０を設けた場合を説明するために示す図である。なお、図１１は図３における重なり領域Ｓ１（陽極側重なり領域３１２Ａ及び陰極側重なり領域３１２Ｂ）の部分を拡大して示す図である。
【０１５６】
図１１に示すように、陽極側重なり領域３１２Ａと陰極側重なり領域３１２Ｂとの間に介在されている絶縁部材５００の内部には、陽極側外部接続凸片３１０Ａ，３２０Ａ及び陰極側外部接続凸片３１０Ｂ，３２０Ｂに対して電気的に非接続となっている導電性部材５５０が設けられている。
【０１５７】
絶縁部材５００の内部にこのような導電性部材５５０を設けることにより、インダクタンスの低減効果がより高められることが実験により確かめられている。これにより、陽極側重なり領域と陰極側重なり領域との間隔をある程度大きくとっても、インダクタンスの低減効果が得られる。このため、陽極側重なり領域と陰極側重なり領域との間隔をある程度大きく（例えば、数ｍｍ〜十数ｍｍ程度）設定しても、インダクタンスの低減効果が得られる。このように、インダクタンスの低減効果が得られる上に、陽極側重なり領域と陰極側重なり領域との間隔をある程度大きく設定可能であると、陽極側外部接続凸片と陰極側外部接続凸片との間の絶縁性などの面において有利なものとなる。
【０１５８】
なお、図１１においては、図３における重なり領域Ｓ１（陽極側重なり領域３１２Ａ及び陰極側重なり領域３１２Ｂ）の部分について説明したが、他の重なり領域においても同様の構成とすることができる。
【０１５９】
（５）上記各実施形態においては、コンデンサー素子はフィルムコンデンサー素子として説明したが、フィルムコンデンサー素子に限られるものではなく、他のコンデンサー素子の場合にも適用できる。
【符号の説明】
【０１６０】
１０・・・実施形態１に係るコンデンサーモジュール、１１・・・実施形態１に係るコンデンサーモジュールの変形例、２０・・・実施形態１に係るコンデンサーモジュール、２１・・・実施形態２の第１変形例としてのコンデンサーモジュール、２２・・・実施形態２の第２変形例としてのコンデンサーモジュール、３１・・・実施形態３に係る第１態様のコンデンサーモジュール、３２・・・実施形態３に係る第２態様のコンデンサーモジュール、３３・・・実施形態３に係る第３態様のコンデンサーモジュール、３００・・・外部接続端子部、３００Ａ・・・陽極側外部接続端子部、３００Ｂ…陰極側外部接続端子部、３１０Ａ，３２０Ａ・・・陽極側外部接続凸片、３１０Ｂ，３２０Ｂ・・・陰極側外部接続凸片、３１１Ａ，３２１Ａ・・・陽極側外部接続領域、３１１Ｂ，３２１Ｂ・・・陰極側外部接続領域、３３０Ａ・・・陽極側連結部、３３０Ｂ…陰極側連結部、３４０Ａ・・・陽極側延長領域、３４０Ｂ・・・陰極側連結領域、３５０Ａ・・・陽極側電極板（陽極側バスバー）、３５０Ｂ・・・陰極側電極板（陰極側バスバー）、４００Ａ・・・陽極側入力端子、４００Ｂ・・・陰極側入力端子、５００・・・絶縁部材、ｈ・・・接続孔、Ｓ１，Ｓ２，Ｓ３・・・重なり領域、３１２Ａ，３２２Ａ，Ｓ３２３Ａ・・・陽極側重なり領域、３１２Ｂ，３２２Ｂ，３２３Ｂ・・・陰極側重なり領域、５００・・・絶縁部材、５５０・・・絶縁部材の内部に設けられている導電性部材
【図１】
2015228462.tif 000003
【図２】
2015228462.tif 000004
【図３】
2015228462.tif 000005
【図４】
2015228462.tif 000006
【図５】
2015228462.tif 000007
【図６】
2015228462.tif 000008
【図７】
2015228462.tif 000009
【図８】
2015228462.tif 000010
【図９】
2015228462.tif 000011
【図１０】
2015228462.tif 000012
【図１１】
2015228462.tif 000013
【図１２】
2015228462.tif 000014